(57)【要約】【課題】発泡壁紙において、一般の壁紙原紙を用いて、施工時の仕上がりにおいて目開きを抑制することのできる発泡壁紙をコスト増を伴うことなく提供することを課題とする。【解決手段】裏面側から裏打ち紙、発泡樹脂層、インキ層、表面保護層、の順に層構成されており、裏打ち紙は、一般の壁紙原紙であり、発泡樹脂層には、マイクロカプセル発泡剤、または化学系発泡剤が使用されており、発泡樹脂層は、水性ＥＶＡエマルジョンからなり、水性ＥＶＡエマルジョンは、Ｔｇが、−２０℃〜１０℃、粒径が０．４μｍ〜０．９μｍ、不揮発分５０％〜７５％であり、水性ＥＶＡエマルジョン１００重量部に対して、充填剤が１０重量部〜１００重量部添加されており、水性ＥＶＡエマルジョンの塗布量は、乾燥後において、１０ｇ／ｍ２〜１３０ｇ／ｍ２であることを特徴とする発泡壁紙である。【選択図】図１
2019070211.tif 000002
【特許請求の範囲】
【請求項１】
発泡壁紙であって、
該発泡壁紙は、裏面側から裏打ち紙、発泡樹脂層、インキ層、表面保護層、の順に層構成されており、
該裏打ち紙は、一般の壁紙原紙であり、
該発泡樹脂層には、マイクロカプセル発泡剤、または化学系発泡剤が使用されており、
該発泡樹脂層は、水性ＥＶＡエマルジョンからなり、
該水性ＥＶＡエマルジョンは、Ｔｇが、−２０℃〜１０℃、粒径が０．４μｍ〜０．９μｍ、不揮発分５０％〜７５％であり、
該水性ＥＶＡエマルジョン１００重量部に対して、充填剤が１０重量部〜１００重量部添加されており、
該水性ＥＶＡエマルジョンの塗布量は、乾燥後において、１０ｇ／ｍ２〜１３０ｇ／ｍ２であることを特徴とする発泡壁紙。
【請求項２】
前記発泡壁紙の表面には、エンボス加工による凹凸が設けられていることを特徴とする、請求項１に記載の発泡壁紙。
【発明の詳細な説明】
【技術分野】
【０００１】
本発明は、壁紙に関するものである。とくに裏打ち紙を基材として、樹脂層を有するビニール壁紙のうち、印刷された絵柄、および凹凸の意匠を有する発泡壁紙に関するものである。
【背景技術】
【０００２】
壁紙は、住宅やマンション、あるいは商業施設、ホテルなどの内装に多く使われ、また「壁」のほか、天井やクローゼットや押入れ、あるいは和室の壁にも使われることが多い。
【０００３】
一般に壁紙は、裏打ち紙を基材として、布や合成樹脂でできたシートであって、内壁下地材の表面に、接着剤を用いて貼り付ける内装仕上げ材として使われる。
【０００４】
とくにビニール壁紙は加工しやすく、印刷や発泡、エンボス加工などによって、様々な意匠性を持つ壁紙を提供することができ、施工から仕上げまでの工程が短期間で住むことから、経済性にも優れ、新築のみならずリフォームにも使用されている。
【０００５】
その一方で、壁紙の施工は工程が短期間で住むことの利点を有する一方、施工のタイミングが決められた、現場施工となるため、経験を積み、熟練した壁紙職人の技術が不可欠である。
【０００６】
しかしながら、近年は人手不足、とりわけ職人不足の問題が顕著になっており、壁紙を施工する現場からは、未熟練の壁紙職人でも良好な仕上がりを得られるよう、壁紙の合わせ目が開くことなく綺麗に仕上がる、すなわち目開きしにくい壁紙が求められることが多い。
【０００７】
これに対して、特許文献１には、壁紙の発泡樹脂層に無機充填剤を配合することによって、目開きを押さえる方法も提案されているが、無機充填剤は一定量を超えて配合することによって、意匠性などに影響が出るおそれがある。
【０００８】
また、裏打ち紙に合成繊維を混ぜ込んだ混抄紙を用いて、裏打ち紙の伸縮を押さえ、目開きを抑制の効果を狙った壁紙も見られるが、当然のことながら価格面では、高価なものとなっている。加えて、混抄紙のような特殊な裏打ち紙の場合には、安定供給の面からの不安もある。
【先行技術文献】
【特許文献】
【０００９】
【特許文献１】特許第５１２７６５６号公報
【発明の概要】
【発明が解決しようとする課題】
【００１０】
本発明は、かかる状況に鑑みてなされたものであり、発泡壁紙において、一般の壁紙原紙を用いて、施工時の仕上がりにおいて目開きを抑制することのできる発泡壁紙を、コスト増を伴うことなく提供することを課題とする。
【課題を解決するための手段】
【００１１】
上記の課題を解決するための手段として、請求項１に記載の発明は、
発泡壁紙であって、
該発泡壁紙は、裏面側から裏打ち紙、発泡樹脂層、インキ層、表面保護層、の順に層構成されており、
該裏打ち紙は、一般の壁紙原紙であり、
該発泡樹脂層には、マイクロカプセル発泡剤、または化学系発泡剤が使用されており、
該発泡樹脂層は、水性ＥＶＡエマルジョンからなり、
該水性ＥＶＡエマルジョンは、Ｔｇが、−２０℃〜１０℃、粒径が０．４μｍ〜０．９μｍ、不揮発分５０％〜７５％であり、
該水性ＥＶＡエマルジョン１００重量部に対して、充填剤が１０重量部〜１００重量部添加されており、
該水性ＥＶＡエマルジョンの塗布量は、乾燥後において、１０ｇ／ｍ２〜１３０ｇ／ｍ２であることを特徴とする発泡壁紙である。
【００１２】
また請求項２に記載の発明は、
前記発泡壁紙の表面には、エンボス加工による凹凸が設けられていることを特徴とする、請求項１に記載の発泡壁紙である。
【発明の効果】
【００１３】
本発明によれば、発泡壁紙において、一般の壁紙原紙を用いて、施工時の仕上がりにおいて目開きを抑制することのできる発泡壁紙を、コスト増を伴うことなく提供することができる。
【００１４】
とくに、請求項２に記載の発明によれば、発泡壁紙において、一般の壁紙原紙を用いて、施工時の仕上がりにおいて目開きを抑制することのできる発泡壁紙を、コスト増を伴うことなく、より立体的な意匠表現に優れた状態で提供することができる。
【図面の簡単な説明】
【００１５】
【図１】図１は、本発明に係る発泡壁紙の一実施態様を説明するための、部分断面模式図である。
【発明を実施するための形態】
【００１６】
以下、本発明を図を参照しながら、更に詳しい説明を加える。ただし本発明は、ここに示す例にのみ限定されるものではない。本発明は、請求項によって限定されるものである。
【００１７】
図１は、本発明に係る発泡壁紙の一実施態様を説明するための、部分断面模式図である。
【００１８】
本発明による発泡壁紙（１０）は、裏面側から裏打ち紙（１）、発泡樹脂層（２）、インキ層（４）、表面保護層（５）、の順に層構成されている。
【００１９】
層構成された各層の材料構成は、裏打ち紙（１）は、一般の壁紙原紙であり、発泡樹脂層（２）は、水性ＥＶＡエマルジョンである。水性ＥＶＡエマルジョンは、Ｔｇが、−２０℃〜１０℃、粒径が０．４μｍ〜０．９μｍ、不揮発分５０％〜７５％であり、水性ＥＶＡエマルジョン１００重量部に対して、充填剤が１０重量部〜１００重量部添加されている。また、水性ＥＶＡエマルジョンの塗布量は、乾燥後において、１０ｇ／ｍ２〜１３０ｇ／ｍ２である。
【００２０】
また発泡樹脂層（２）には発泡剤（３）が含まれており、加熱によって発泡し、発泡樹脂層（２）を膨らませることができる。発泡剤は、マイクロカプセル発泡剤、または化学
系発泡剤を用いる。
【００２１】
発泡した樹脂層は、たとえばエンボス版を用いた、エンボス加工で表面に凹部（６）、および凸部（７）を形成することが可能であり、この場合には、発泡壁紙（１０）により立体的な意匠感を与えることが可能である。
【００２２】
各層の具体的な材料名は、特段の限定を加えるものではないが、たとえば裏打ち紙（１）には、一般の壁紙原紙６５ｇ／ｍ２を用いることができ、たとえばＫＪ特殊紙製などを用いることができる。
【００２３】
また、印刷層（４）は、たとえばグラビア印刷機を用いて発泡樹脂層表面に形成することができ、たとえば、水性インキ（大日精化製水性エマルジョン、商品名ハイドリック）を用いることができる。
【００２４】
印刷層（４）を設けることによって、発泡壁紙（１０）は自在な意匠表現が可能となり、幅広い顧客の要望に応えることが可能になり、したがって幅広い用途に用いることができるようになる。
【００２５】
更に絵柄に重ねて設けられる表面保護層（５）には、たとえば水性コート剤（日信化学製、商品名ＤＥＸ−６５Ａ）を用いることができる。
【００２６】
表面保護層（５）を設けることによって、壁紙を保護し、外部からの力や、耐汚染性など必要な性能を付与することができる。
【００２７】
我々は、本発明をさまざまな面から組み立てるに当って、鋭意検討を重ねた結果、上述した構成を見出した。
【００２８】
すなわち、発泡壁紙（１０）において、層構成された各層の材料構成は、裏打ち紙（１）は、一般の壁紙原紙であり、発泡樹脂層（２）は、水性ＥＶＡエマルジョンである。水性ＥＶＡエマルジョンは、Ｔｇが、−２０℃〜１０℃、粒径が０．４μｍ〜０．９μｍ、不揮発分５０％〜７５％である。
【００２９】
また、水性ＥＶＡエマルジョン１００重量部に対して、充填剤が１０重量部〜１００重量部添加されている。また、水性ＥＶＡエマルジョンの塗布量は、乾燥後において、１０ｇ／ｍ２〜１３０ｇ／ｍ２である。我々は、これらの条件の範囲にあることが、課題解決に最適であることを見出した。
【００３０】
すなわち、本発明によれば課題である、発泡壁紙（１０）において、一般の壁紙原紙を用いて、施工時の仕上がりにおいて目開きを抑制することのできる発泡壁紙を、コスト増を伴うことなく提供することが可能である。
【実施例】
【００３１】
以下本発明を、実施例１および比較例１、比較例２によって更に具体的な説明を加える。ただし本発明は、ここに示す例にのみ限定されるものではない。本発明は、請求項によって限定されるものである。
【００３２】
＜実施例１＞
発泡壁紙の層構成は下記のとおりとした。
一般壁紙原紙／発泡樹脂層／印刷層／表面保護層
各層の具体的な材料と作成の手順は下記のとおりである。
【００３３】
一般壁紙原紙は、６５ｇ／ｍ２、ＫＪ特殊紙製ＷＫ６６５ＴＭＮを用いた。
【００３４】
発泡樹脂層には、松本油脂製ＦＴ１６マイクロカプセル発泡剤を配合した住化ケムデックス製水性ＥＶＡエマルジョンを用いた。
水性ＥＶＡエマルジョンは、Ｔｇが、−２０℃〜１０℃、粒径が０．４μｍ〜０．９μｍ、不揮発分５０％〜７５％の範囲のものを用いた。
また、水性ＥＶＡエマルジョン１００重量部に対して、充填剤が１０重量部〜１００重量部の範囲で添加されている。
【００３５】
コーティング機を用いて、一般壁紙原紙上に発泡樹脂層を塗布、乾燥して形成した。
塗布量は１００ｇ／ｍ２である。
【００３６】
ついで、前述の発泡樹脂層の表面に、水性インキ（大日精化製、商品名ハイドリック）を用いて、グラビア印刷機を用いて、布目模様の絵柄層を形成した。
【００３７】
更に、絵柄層に重ねて、水性コート剤（日信化学製、商品名ＤＥＸ−６５Ａ）をグラビアコーティングを用いて塗布し、表面保護層を形成した。
【００３８】
更に、１７０℃に熱オーブン中で３５秒の加熱を行ない、発泡させた。
続いて、エンボス加工によって表面に凹凸を形成した。
【００３９】
＜比較例１＞
発泡壁紙の層構成は下記のとおりとした。
一般壁紙原紙／発泡樹脂層／印刷層／表面保護層
各層の具体的な材料と作成の手順は下記のとおりである。
【００４０】
一般壁紙原紙は、６５ｇ／ｍ２、ＫＪ特殊紙製ＷＫ６６５ＴＭＮを用いた。
【００４１】
発泡樹脂層には、松本油脂製ＦＴ１６マイクロカプセル発泡剤を配合した住化ケムデックス製水性ＥＶＡエマルジョンを用いた。
水性ＥＶＡエマルジョンは、Ｔｇが、−２０℃〜１０℃、粒径が０．４μｍ〜０．９μｍ、不揮発分５０％〜７５％の範囲のものを用いた。
また、水性ＥＶＡエマルジョン１００重量部に対して、充填剤が１０重量部〜１００重量部の範囲で添加されている。
【００４２】
コーティング機を用いて、一般壁紙原紙上に発泡樹脂層を塗布、乾燥して形成した。
塗布量は１４０ｇ／ｍ２である。この部分は実施例１とは異なる。
【００４３】
ついで、前述の発泡樹脂層の表面に、水性インキ（大日精化製、商品名ハイドリック）を用いて、グラビア印刷機を用いて、布目模様の絵柄層を形成した。
【００４４】
更に、絵柄層に重ねて、水性コート剤（日信化学製、商品名ＤＥＸ−６５Ａ）をグラビアコーティングを用いて塗布し、表面保護層を形成した。
【００４５】
更に、１７０℃に熱オーブン中で３５秒の加熱を行ない、発泡させた。
続いて、エンボス加工によって表面に凹凸を形成した。
【００４６】
＜比較例２＞
壁紙原紙は、広明製紙製ＦＲＳ８０混抄紙を用いた。この部分は実施例１とは異なる。
【００４７】
発泡樹脂層には、松本油脂製ＦＴ１６マイクロカプセル発泡剤を配合した住化ケムデックス製水性ＥＶＡエマルジョンを用いた。
水性ＥＶＡエマルジョンは、Ｔｇが、−２０℃〜１０℃、粒径が０．４μｍ〜０．９μｍ、不揮発分５０％〜７５％の範囲のものを用いた。
また、水性ＥＶＡエマルジョン１００重量部に対して、充填剤が１０重量部〜１００重量部の範囲で添加されている。
【００４８】
コーティング機を用いて、一般壁紙原紙上に発泡樹脂層を塗布、乾燥して形成した。
塗布量は１００ｇ／ｍ２である。
【００４９】
ついで、前述の発泡樹脂層の表面に、水性インキ（大日精化製、商品名ハイドリック）を用いて、グラビア印刷機を用いて、布目模様の絵柄層を形成した。
【００５０】
更に、絵柄層に重ねて、水性コート剤（日信化学製、商品名ＤＥＸ−６５Ａ）をグラビアコーティングを用いて塗布し、表面保護層を形成した。
【００５１】
更に、１７０℃に熱オーブン中で３５秒の加熱を行ない、発泡させた。
続いて、エンボス加工によって表面に凹凸を形成した。
【００５２】
＜評価項目＞
評価項目は下記の４項目とし、また評価方法、評価基準を示す。
【００５３】
（１．目開き）２０ｃｍ各の石膏ボードに、発泡壁紙同士の突きつけ施工を行ない、７２時間経過後に目開きの様子を目視評価する。
判定基準
〇：目開きがない、もしくは目立たない。
×：目開きがはっきり確認できる。
【００５４】
（２．コスト）現行の発泡壁紙との比較を行なう。
判定基準
〇：現行品と比較して、同等ないしは以下。
×：現行品と比較して、上回る。
【００５５】
（３．壁紙の生産性）
判定基準
〇：現行品と比較して、同等以上。
×：現行品と比較して、良くない。
【００５６】
（４．裏打ち紙の安定供給）
判定基準
〇：現行品と比較して、同等以上。
×：現行品と比較して、良くない。
【００５７】
評価結果を表１に示す。
【００５８】
【表１】
2019070211.tif 000003
【００５９】
表１に示す結果から、実施例１はすべての評価項目において良好な評価を得ており、
比較例１、および比較例２のいずれに比較しても、優位である。
【００６０】
すなわち、本発明による実施例１に比較して、比較例１では目開きにおいて、劣っており、比較例２においては、裏打ち紙の安定供給において、劣っている。
【００６１】
したがって本発明によれば、一般の壁紙原紙を用いて、施工時の仕上がりにおいて目開きを抑制することのできる発泡壁紙を、コスト増を伴うことなく提供することが可能であることを検証することができた。
【符号の説明】
【００６２】
１・・・裏打ち紙
２・・・発泡樹脂層
３・・・発泡剤
４・・・インキ層
５・・・表面保護層
６・・・凹部
７・・・凸部
１０・・・発泡壁紙
【図１】
2019070211.tif 000004